【手続補正書】
【提出日】令和2年9月30日(2020.9.30)
【手続補正１】
【補正対象書類名】明細書
【補正対象項目名】０００２
【補正方法】変更
【補正の内容】
【０００２】
「肥満」とは、体の中に体脂肪が過剰に蓄積した状態であり、ＢＭＩが２５以上となっている状態をいう。「肥満症」とは、「肥満」のうち、医学的にみて減量治療の必要な病態のことを指す疾患のことである。日本肥満学会によると、肥満症とは「過栄養や運動不足などにより、脂肪が過剰に蓄積した状態であり、肥満に起因する疾患を有しており、減量を必要とする病態」と定義している。具体的には、肥満(ＢＭＩ２５以上)であり、内臓脂肪面積が１００ｃｍ2以上の「内臓脂肪型肥満」または肥満に起因ないし関連する１１疾患（耐糖能障害、脂質異常症、高血圧、高尿酸血症、冠動脈疾患、脳梗塞、脂肪肝（ＮＡＦＬＤ）、月経異常、肥満関連腎臓病、整形外科的疾患、睡眠時無呼吸症候群（ＳＡＳ））に及ぶ健康障害のいずれか、がある病態とされている。この疾患に対しては、食事療法、運動療法、心理療法（行動療法、認知療法及びコーチング）、薬物療法、外科的治療法などが行われるのが一般的である。行動療法とは、実行することで治療効果が得られると考えられる行動（＝治療行動）を医療従事者が促し、患者に実践してもらう療法である。行動療法の中でも、飲食したいという食欲衝動が生じたときに飲食に代わる他の行為を行うことで、飲食行為を回避する療法を代償行動療法という。認知行動療法とは、患者による解釈（認知）と科学的見地からの事実のズレ（認知のズレ）を修正することにより患者の行動を変えていく療法である。コーチングとは、患者に対し、疾患に関する知識を提供し教育したり、励ましたり、褒めたりすることである。
【手続補正２】
【補正対象書類名】特許請求の範囲
【補正対象項目名】全文
【補正方法】変更
【補正の内容】
【特許請求の範囲】
【請求項１】
肥満患者のために使用されるシステムであって、
肥満に関連する事項についての患者の解釈を示す患者解釈情報の入力を受け付け、
入力された前記患者解釈情報及び前記肥満に関連する事項についての正答情報に基づいて、前記患者の肥満に関連する事項についての解釈が誤りであるか否かを決定し、
前記患者の解釈が誤りであると決定された場合には、前記患者の肥満に関連する事項についての誤った解釈を正すための情報を患者に提示する、
ことを特徴とする肥満患者のために使用されるシステム。
【請求項２】
前記患者解釈情報の入力を受け付けることは、患者が使用するコンピュータに患者の現在の体調を示す情報が入力されたタイミングに基づいて決定される患者解釈情報取得タイミングで実行され、
患者の現在の体調を示す情報が入力されたタイミングに基づいて決定される体調情報取得タイミングで、前記患者の現在の体調を示す情報を取得し、
前記患者解釈情報は、患者が考えている前記患者の現在の体調と肥満との関連性を示す情報を含む、
ことを特徴とする請求項１に記載のシステム。
【請求項３】
前記取得された患者の現在の体調を示す情報が食欲衝動を示す場合には、患者が考えている現在の体調の原因、患者の肥満診療履歴情報及び前記患者の現在の体調がいつの時点の体調であるかを示す時間の少なくとも一つに基づいて、前記患者の食欲衝動が抑制されるべきか否かを判定し、
前記患者の食欲衝動が抑制されるべきか否かの判定結果に基づいて、前記肥満に関連する事項についての患者の解釈を示す患者解釈情報の入力を促す情報を提示する、
ことを特徴とする請求項２に記載のシステム。
【請求項４】
前記患者解釈情報の入力を促す情報を提示することは、前記患者の食欲衝動が抑制されるべきか否かの判定によって、前記患者の食欲衝動が抑制されるべきと判定されたときに実行される、ことを特徴とする請求項３に記載のシステム。
【請求項５】
患者入力によって取得された患者の現在の体調を示す情報に基づいて、前記患者の現在の体調に関連して患者がとるべき行動を示す第１の行動療法情報に基づいて現在生じている食欲衝動を解消するための情報を提示する、
ことを特徴とする請求項１〜４のいずれか１項に記載のシステム。
【請求項６】
前記第１の行動療法情報に基づく情報を提示することの後に、体調が改善したか否かを問い合わせるメッセージを提示し、
前記メッセージに応答して患者による効果回答情報の入力を受け付け、
体調が改善していないことを前記効果回答情報が示している場合には、前記体調に関連して患者がとるべき行動を示す第２の行動療法情報に基づいて現在生じている食欲衝動を解消するための情報を提示する、
ことを特徴とする請求項５に記載のシステム。
【請求項７】
前記取得された患者の現在の体調を示す情報が食欲衝動を示す場合には、少なくとも前記効果回答情報に基づいて、前記患者の食欲衝動が抑制されるべきか否かを判定し、
前記第２の行動療法情報に基づいて現在生じている食欲衝動を解消するための情報を提示することは、少なくとも前記効果回答情報に基づく判定に基づいて実行される、
ことを特徴とする請求項６に記載のシステム。
【請求項８】
前記誤った解釈を正すための情報を患者に提示することは前記第１の行動療法情報に基づいて現在生じている食欲衝動を解消するための情報を提示することが実行された後に実行される、ことを特徴とする請求項７に記載のシステム。
【請求項９】
前記患者の現在の体調を示す情報は、患者が考えている現在の体調の原因を含む、請求項２〜８のいずれか１項に記載のシステム。
【請求項１０】
患者の現在の体調を示す情報が入力されたタイミングに基づいて決定されるコーチングタイミングで、前記患者の体調に関連して患者を励ますためのメッセージを示すコーチング情報を提示する、ことを特徴とする請求項２〜９のいずれか１項に記載のシステム。
【請求項１１】
前記誤った解釈を正すための情報を患者に提示することは前記コーチング情報を提示することが実行された後に実行される、ことを特徴とする請求項１０に記載のシステム。
【請求項１２】
前記肥満に関連する事項は、耐糖能障害、脂質異常症、高血圧、高尿酸血症、冠動脈疾患、脳梗塞、脂肪肝（ＮＡＦＬＤ）、月経異常、肥満関連腎臓病、整形外科的疾患、睡眠時無呼吸症候群（ＳＡＳ）の少なくとも１つに関連する事項である、請求項１〜１１のいずれか１項に記載のシステム。
【請求項１３】
肥満患者のために使用される方法であって、１以上のコンピュータによって、
肥満に関連する事項についての患者の解釈を示す患者解釈情報の入力を受け付ける段階と、
入力された前記患者解釈情報及び前記肥満に関連する事項についての正答情報に基づいて、前記患者の肥満に関連する事項についての解釈が誤りであるか否かを決定する段階と、
前記患者の解釈が誤りであると決定された場合には、前記患者の肥満に関連する事項についての誤った解釈を正すための情報を患者に提示する段階と、
が実行されることを特徴とする肥満患者のために使用される方法。
【請求項１４】
前記肥満に関連する事項は、耐糖能障害、脂質異常症、高血圧、高尿酸血症、冠動脈疾患、脳梗塞、脂肪肝（ＮＡＦＬＤ）、月経異常、肥満関連腎臓病、整形外科的疾患、睡眠時無呼吸症候群（ＳＡＳ）の少なくとも１つに関連する事項である、請求項１３に記載の方法。
【請求項１５】
肥満患者のために使用されるプログラムであって、１以上のコンピュータに、
肥満に関連する事項についての患者の解釈を示す患者解釈情報の入力を受け付ける段階と、
入力された前記患者解釈情報及び前記肥満に関連する事項についての正答情報に基づいて、前記患者の肥満に関連する事項についての解釈が誤りであるか否かを決定する段階と、
前記患者の解釈が誤りであると決定された場合には、前記患者の肥満に関連する事項についての誤った解釈を正すための情報を患者に提示する段階と、
を実行させることを特徴とする肥満患者のために使用されるプログラム。
【請求項１６】
前記肥満に関連する事項は、耐糖能障害、脂質異常症、高血圧、高尿酸血症、冠動脈疾患、脳梗塞、脂肪肝（ＮＡＦＬＤ）、月経異常、肥満関連腎臓病、整形外科的疾患、睡眠時無呼吸症候群（ＳＡＳ）の少なくとも１つに関連する事項である、請求項１５に記載のプログラム。